(57)【要約】【課題】レンズ保持枠の位置ずれに起因する像揺れを防止すること。【解決手段】レンズ鏡筒は、カムピン１１１を備えたレンズ保持枠１１０と、レンズ保持枠１１０の外周側に配置され、カムピン１１１と係合するカム溝１２１を備えたカム筒１２０と、レンズ保持枠１１０とカム筒１２０との間に配置され、レンズ保持枠１１０を光軸方向に摺動させる直進案内部材１３０と、を備える。レンズ鏡筒は、レンズ保持枠１１０と直進案内部材１３０との間に、光軸直交方向におけるレンズ保持枠１１０の位置ずれを防止する像揺れ防止機構を備える。像揺れ防止機構は、レンズ保持枠１１０と直進案内部材１３０との間において、光軸直交方向に付勢力を発生する片寄せ部と、片寄せ部の付勢力を受けて、光軸直行方向におけるレンズ保持枠１１０の位置を規制する保持枠側凸部１１５とからなる。【選択図】図１０
2011128313.tif 000002
【特許請求の範囲】
【請求項１】
カムピンを備えた摺動部材と、
前記摺動部材の外周側に配置され、前記カムピンと係合するカム溝を備えたカム筒と、
前記摺動部材と前記カム筒との間に配置され、前記摺動部材を光軸方向に摺動させる直進案内部材と、を備えたレンズ鏡筒であって、
前記摺動部材と前記直進案内部材との間に配置され、前記光軸と直交する方向（以下、「光軸直交方向」という）における前記摺動部材の位置ずれを防止する像揺れ防止手段を備えており、
前記像揺れ防止手段は、
前記摺動部材と前記直進案内部材との間において、前記光軸直交方向に付勢力を発生する付勢部と、
前記付勢部の付勢力を受けて、前記光軸直交方向における前記摺動部材の位置を規制する規制部と、を備えることを特徴とするレンズ鏡筒。
【請求項２】
前記像揺れ防止手段は、前記光軸を中心とする円周方向において、前記カムピンが配置される位置とは異なる位置に配置されることを特徴とする請求項１に記載のレンズ鏡筒。
【請求項３】
前記付勢部は、前記摺動部材の外周部に設けられ、前記直進案内部材と当接するコマと、弾性部材と、を備えており、
前記弾性部材は、前記摺動部材の外周部と前記コマとの間において圧縮状態で保持されることを特徴とする請求項１または２に記載のレンズ鏡筒。
【請求項４】
前記像揺れ防止手段は、１つの前記付勢部と、少なくとも２つの前記規制部で構成され、
前記１つの付勢部と前記少なくとも２つの規制部とは、前記光軸を中心とする円周上に等間隔で配置されることを特徴とする請求項１〜３のいずれか一つに記載のレンズ鏡筒。
【請求項５】
前記直進案内部材は、前記摺動部材側に突出して前記付勢部と当接する第１の凸部を備えたことを特徴とする請求項１〜４のいずれか一つに記載のレンズ鏡筒。
【請求項６】
前記直進案内部材は、前記摺動部材側に突出して前記規制部と当接する第２の凸部を備えたことを特徴とする請求項１〜５のいずれか一つに記載のレンズ鏡筒。
【請求項７】
前記摺動部材は、前記規制部として、前記直進案内部材側に突出して前記直進案内部材と当接する第３の凸部を備えたことを特徴とする請求項１〜６のいずれか一つに記載のレンズ鏡筒。
【発明の詳細な説明】
【技術分野】
【０００１】
この発明は、レンズ保持枠、カム筒および直進案内部材からなるレンズ鏡筒に関し、特に、レンズ保持枠の位置ずれに起因する像揺れを防止する像揺れ防止機構を備えたレンズ鏡筒に関する。
【背景技術】
【０００２】
従来、レンズ保持枠、カム筒および直進案内部材からなるレンズ鏡筒において、レンズ保持枠の位置ずれを防止する技術が考案されている（たとえば、下記特許文献１および２参照）。たとえば、下記特許文献１は、カム部材やガイド部材をプラスチックにより形成した場合に生じるパーティングラインに起因するレンズ保持枠の位置ずれを防止する技術であり、比較的撮影頻度の多い望遠端および広角端の位置にはパーティングラインを設けないようにカム部材を形成したり、パーティングライン上にカムピンが止まらないように制御したりすることにより、レンズ保持枠の位置ずれを防止している。
【０００３】
また、下記特許文献２は、固定筒に形成されたカム溝と該固定筒内に嵌装されたカム筒に形成されたカム溝との両カム溝交点に位置する移動レンズ枠に設けたガイドピンよりなるレンズ移動装置において、該両カム溝は互いに逆向きの傾斜角を持つ傾斜面に形成し、該ガイドピンは該両カム溝にそれぞれ係合する同軸的な２つのガイドピンから形成されかつ該両カム溝にそれぞれ当接している面をカム溝の傾斜角と同様な傾斜角に形成するとともに前記両カム溝の傾斜角に該２つのガイドピンを当接するように同時に１つのばねで付勢している。
【先行技術文献】
【特許文献】
【０００４】
【特許文献１】特開平５−０３４５５８号公報
【特許文献２】実開昭６１−６５４１６号公報
【発明の概要】
【発明が解決しようとする課題】
【０００５】
しかしながら、上述した特許文献１に記載された従来技術では、たとえば動画撮影時のように、撮影中においてもカムピンの位置が変化する場合に、パーティングラインの影響を回避することができないという問題点がある。従来の静止画撮影用のカメラは、静止画のみを撮影するため、撮影中はカムピンの位置が固定されることが前提となっている。一方、昨今は静止画撮影用のカメラにおいても動画撮影機能を有するものが増えている。この場合、カムピンの位置は、撮影中においても固定されるとは限らず、パーティングライン上を通過して望遠端と広角端との間を移動する可能性がある。
【０００６】
また、上述した特許文献２に記載された従来技術では、ガイドピンはばねの付勢力によってカム溝の底面方向に向かう力を受け、ガイドピンとカム溝の底面との間隔が小さくなる。このため、レンズ保持枠（移動レンズ枠）の摺動時に、カム溝の底面にあるパーティングラインや異物に起因する段差の影響を受けやすくなり、像揺れしやすくなるという問題点がある。
【０００７】
この発明は、上述した従来技術による問題点を解決するため、カム溝の底面に形成された段差に起因するレンズ保持枠の位置ずれを防止して、撮影画像の像揺れを防止することができるレンズ鏡筒を提供することを目的とする。
【課題を解決するための手段】
【０００８】
上述した課題を解決し、目的を達成するため、この発明にかかるレンズ鏡筒は、カムピンを備えた摺動部材と、前記摺動部材の外周側に配置され、前記カムピンと係合するカム溝を備えたカム筒と、前記摺動部材と前記カム筒との間に配置され、前記摺動部材を光軸方向に摺動させる直進案内部材と、を備えたレンズ鏡筒であって、前記摺動部材と前記直進案内部材との間に配置され、前記光軸と直交する方向（以下、「光軸直交方向」という）における前記摺動部材の位置ずれを防止する像揺れ防止手段を備えており、前記像揺れ防止手段は、前記摺動部材と前記直進案内部材との間において、前記光軸直交方向に付勢力を発生する付勢部と、前記付勢部の付勢力を受けて、前記光軸直行方向における前記摺動部材の位置を規制する規制部と、を備えることを特徴とする。
【０００９】
この発明によれば、付勢部で発生された付勢力によって光軸直交方向における摺動部材の位置が規制され、摺動部材の位置ずれに起因する撮影画像の像揺れを防止することができる。
【００１０】
また、この発明にかかるレンズ鏡筒は、上記の発明において、前記像揺れ防止手段は、前記光軸を中心とする円周方向において、前記カムピンが配置される位置とは異なる位置に配置されることを特徴とする。
【００１１】
この発明によれば、摺動部材はカムピンとは異なる位置に規制されるため、摺動部材をカムピンの位置で規制する場合と異なり、カム溝の底面にある段差に起因する摺動部材の位置ずれを防止することができる。
【００１２】
また、この発明にかかるレンズ鏡筒は、上記の発明において、前記付勢部は、前記摺動部材の外周部に設けられ、前記直進案内部材と当接するコマと、弾性部材と、を備えており、前記弾性部材は、前記摺動部材の外周部と前記コマとの間において圧縮状態で保持されることを特徴とする。
【００１３】
この発明によれば、圧縮状態で保持された弾性部材によって、コマおよび摺動部材に対して光軸直交方向に弾性力が働く。この弾性力によって、摺動部材の位置を直進案内部材との間で光軸直交方向に保持することができる。
【００１４】
また、この発明にかかるレンズ鏡筒は、上記の発明において、前記像揺れ防止手段は、１つの前記付勢部と、少なくとも２つの前記規制部で構成され、前記１つの付勢部と前記少なくとも２つの規制部とは、前記光軸を中心とする円周上に等間隔で配置されることを特徴とする。
【００１５】
この発明によれば、１つの付勢部および２つの規制部の少なくとも３点で摺動部材の位置を規制する。この３点は光軸を中心とする円周上に等間隔で配置されており、摺動部材の位置を安定して保持することができる。
【００１６】
また、この発明にかかるレンズ鏡筒は、上記の発明において、前記直進案内部材は、前記摺動部材側に突出して前記付勢部と当接する第１の凸部を備えたことを特徴とする。
【００１７】
また、この発明にかかるレンズ鏡筒は、上記の発明において、前記直進案内部材は、前記摺動部材側に突出して前記規制部と当接する第２の凸部を備えたことを特徴とする。
【００１８】
この発明によれば、付勢部または規制部と当接する凸部を直進案内部材に設けているため、摺動部材の位置をより安定して保持することができる。
【００１９】
また、この発明にかかるレンズ鏡筒は、上記の発明において、前記摺動部材は、前記規制部として、前記直進案内部材側に突出して前記直進案内部材と当接する第３の凸部を備えたことを特徴とする。
【００２０】
この発明によれば、直進案内部材と当接する凸部を摺動部材に設けているため、摺動部材の位置をより安定して保持することができる。
【発明の効果】
【００２１】
以上説明したように、この発明にかかるレンズ鏡筒によれば、カム溝の底面に形成された段差に起因するレンズ保持枠の位置ずれを防止して、撮影画像の像揺れを防止することができる。
【図面の簡単な説明】
【００２２】
【図１】実施の形態にかかるレンズ鏡筒の全体構成を示す斜視図である。
【図２】レンズ保持枠の斜視図である。
【図３】レンズ保持枠を光軸方向から見た平面図である。
【図４】像揺れ防止機構の片寄せ部の拡大図である。
【図５】レンズ保持枠への片寄せ部材の取り付け状態を示す断面図である。
【図６】凸部周辺の構造を示す拡大図である。
【図７】カム筒を光軸と平行な面で切断した断面図である。
【図８】複数のレンズ保持枠のカムピンの形状の違いを示す説明図である。
【図９】直進案内部材を光軸と平行な面で切断した断面図である。
【図１０】レンズ鏡筒の組み立て状態を示す説明図である。
【図１１】レンズ鏡筒の片寄せ部材周辺を光軸方向と平行な面で切断した断面図である。
【図１２】レンズ鏡筒のカムピン周辺を光軸方向に平行な面で切断した断面図である。
【発明を実施するための形態】
【００２３】
以下に添付図面を参照して、この発明に係るレンズ鏡筒の好適な実施の形態を詳細に説明する。
【００２４】
（実施の形態）
（レンズ鏡筒１００の全体構成）
図１は、実施の形態にかかるレンズ鏡筒の全体構成を示す斜視図である。レンズ鏡筒１００は、レンズ保持枠１１０、カム筒１２０および直進案内部材１３０によって構成される。図１の線分ＯＰは光軸方向を示す。また、レンズ保持枠１１０、カム筒１２０および直進案内部材１３０は、それぞれ略円筒状である。
【００２５】
レンズ保持枠１１０は、図示しないレンズを保持している。なお、図１には、レンズ保持枠１１０を１つのみ示しているが、後述するように、レンズ鏡筒１００には複数のレンズ保持枠１１０を挿入することが可能である。レンズ保持枠１１０の外周面には、カム筒１２０の内周面に形成されたカム溝１２１と係合するカムピン１１１が形成されている。カム筒１２０の内周面には、レンズ保持枠１１０のカムピン１１１の数に対応する数のカム溝１２１が形成される。また、直進案内部材１３０には、光軸方向に伸びる案内孔１３１が形成される。
【００２６】
レンズ鏡筒１００の組み立て状態において、レンズ保持枠１１０のカムピン１１１は、直進案内部材１３０の案内孔１３１を貫通してカム筒１２０のカム溝１２１に係合する。すなわち、レンズ鏡筒１００の組み立て状態においては、カム筒１２０の内部にレンズ保持枠１１０が配置され、カム筒１２０とレンズ保持枠１１０との間に直進案内部材１３０が配置される。また、直進案内部材１３０はカメラ本体などに固定される。この状態においてカム筒１２０を光軸周りに回転させると、カム溝１２１の回転によってカムピン１１１が駆動され、レンズ保持枠１１０が移動する。カムピン１１１は案内孔１３１を通してカム溝１２１と係合しているため、レンズ保持枠１１０は光軸方向に案内され移動する。
【００２７】
（レンズ保持枠１１０の構成）
つぎに、レンズ鏡筒１００の各構成部品の詳細について説明する。まず、図２〜図６を用いて、レンズ保持枠１１０の構造を説明する。図２は、レンズ保持枠の斜視図であり、図３は、レンズ保持枠を光軸方向から見た平面図である。上述のように、レンズ保持枠１１０の外周には、カム筒１２０のカム溝１２１と係合するカムピン１１１が複数（図示の例では３つ）形成されている。それぞれのカムピン１１１は、レンズ保持枠１１０の外周に対して等間隔に形成されている。
【００２８】
また、レンズ保持枠１１０の外周面には、レンズ保持枠１１０の位置がずれて像揺れが発生するのを防止する像揺れ防止機構が設けられている。レンズ鏡筒１００を構成するレンズ保持枠１１０やカム筒１２０などの部品は、プラスチックによって形成されている。これらの部品の表面には、プラスチック加工時に用いられる金型の分割面によってパーティングライン（段差）が生じる。
【００２９】
カム筒１２０の内周面（より詳細には、カム溝１２１の底面）にパーティングラインがあると、カムピン１１１がこの位置を通過する際、段差によってレンズ保持枠１１０が位置ずれをおこし、撮影画像に像揺れが発生してしまう。また、カム溝１２１の底面に異物が存在する場合などにも、カムピン１１１がこの位置を通過する際にレンズ保持枠１１０が位置ずれをおこし、撮影画像に像揺れが発生してしまう。像揺れ防止機構は、このようなカム筒１２０の内周面に存在するパーティングライン上の段差や異物の位置をカムピン１１１が通過することにより、レンズ保持枠１１０の位置がずれて像揺れが発生するのを防止する機構である。
【００３０】
像揺れ防止機構は、片寄せ部材１１２、弾性部材１１３、およびレンズ保持枠１１０に形成された片寄せ部材掛合部１１４からなる片寄せ部１１６と、保持枠側凸部１１５とによって構成される。本実施の形態では、像揺れ防止機構は、１カ所の片寄せ部１１６および２カ所の保持枠側凸部１１５の計３点によって構成されている。像揺れ防止機構は、レンズ保持枠１１０の外周面のうち、カムピン１１１が形成されていない箇所に形成される。
【００３１】
図４は、像揺れ防止機構の片寄せ部の拡大図である。また、図５は、レンズ保持枠への片寄せ部材の取り付け状態を示す断面図である。片寄せ部材１１２は、平面部１１２ｂおよび２カ所の掛合部１１２ａからなる略コの字形状となっている。掛合部１１２ａは、平面部１１２ｂの端部から略直角に張り出しており、その先端にレンズ保持枠１１０の片寄せ部材掛合部１１４に掛合する爪状部を有している。平面部１１２ｂの内側（掛合部１１２ａの突出方向側）の面には、その中央に、掛合部１１２ａと同じ方向に突出した位置決めボス１１２ｃが形成される。位置決めボス１１２ｃには、弾性部材１１３が嵌合される。弾性部材１１３は、たとえばバネであり、片寄せ部材１１２の位置決めボス１１２ｃに嵌合される。
【００３２】
片寄せ部材掛合部１１４には、片寄せ部材１１２の掛合部１１２ａが掛合する掛合受部１１４ａおよび弾性部材１１３が接触する接触面１１４ｂが形成されている。掛合受部１１４ａは、片寄せ部材１１２の掛合部１１２ａの爪状部が掛合する凸部である。掛合受部１１４ａは、レンズ保持枠１１０の光軸方向に上下２カ所形成されており、片寄せ部材１１２は、その長手方向が光軸方向と一致するようにレンズ保持枠１１０に掛合される。
【００３３】
片寄せ部材掛合部１１４の幅（レンズ保持枠１１０の円周方向の長さ）は、片寄せ部材１１２の幅に合わせて形成される。また、掛合受部１１４ａの奥行（レンズ保持枠１１０の経方向の長さ）は、掛合部１１２ａの奥行よりも小さく形成される。このため、片寄せ部材１１２は、レンズ保持枠１１０に掛合された状態において、掛合部１１２ａの奥行の範囲内で、レンズ保持枠１１０の経方向に移動可能である。
【００３４】
接触面１１４ｂには、片寄せ部材１１２の位置決めボス１１２ｃに嵌合された弾性部材１１３が接触する。弾性部材１１３の長さＬ（ばねの自然長）は、位置決めボス１１２ｃの高さ（平面部１１２ｂからの突出方向側の長さ）よりも長くなっており、接触面１１４ｂには弾性部材１１３のみが接触する。また、弾性部材１１３の長さＬは、片寄せ部材１１２が片寄せ部材掛合部１１４に掛合された際の平面部１１２ｂと接触面１１４ｂとの距離よりも長くなっている。このため、片寄せ部材１１２が片寄せ部材掛合部１１４に掛合された際、片寄せ部材１１２および片寄せ部材掛合部１１４は、矢印Ｐで示すように、レンズ保持枠１１０の経方向の弾性力を弾性部材１１３から受ける。
【００３５】
つぎに、像揺れ防止機構のうち、保持枠側凸部１１５について説明する。図６は、凸部周辺の構造を示す拡大図である。保持枠側凸部１１５は、レンズ保持枠１１０の外周に２カ所形成されている（図３参照）。２カ所の保持枠側凸部１１５および片寄せ部材掛合部１１４の３点は、レンズ保持枠１１０の外周に対して等間隔に形成されることが望ましい。
【００３６】
保持枠側凸部１１５は、レンズ保持枠１１０の外周面（カムピン１１１や片寄せ部材掛合部１１４が形成されている箇所は除く）に対して所定の高さを有している。保持枠側凸部１１５の平面部１１５ａは、レンズ保持枠１１０の経方向に対して垂直な（レンズ保持枠１１０の円周方向に対して曲率がない）平面となっている。平面部１１５ａは、レンズ鏡筒１００の組み立て状態においては、直進案内部材１３０の内周面に形成された案内部材側凸部１３２（図９参照）と接触する。
【００３７】
（カム筒１２０の構成）
つづいて、カム筒１２０の構成について説明する。図７は、カム筒を光軸と平行な面で切断した断面図である。カム筒１２０の内周面には、パーティングラインに起因する段差（図示なし）が形成されている。また、カム筒１２０の内周面には、少なくともレンズ保持枠１１０のカムピン１１１の数（図示の例では３本）に対応するカム溝１２１が形成される。カム溝１２１には、カム筒１２０の光軸方向の端部にレンズ挿入口１２２が開口され、光軸方向にカムピン１１１を移動させる光軸方向移動部１２３およびカム筒１２０の円周方向にカムピン１１１を移動させる円周方向移動部１２４が形成されている。
【００３８】
ここで、図７に示すカム筒１２０では、１つのレンズ挿入口１２２に対して、複数（図示の例では２本）の円周方向移動部１２４（１２４ａ，１２４ｂ）が形成されている。この複数の円周方向移動部１２４ａ，１２４ｂは、それぞれ異なるレンズ保持枠１１０を係合して移動させるために形成されている。すなわち、本実施例にかかるレンズ鏡筒１００には、複数のレンズ保持枠１１０を挿入して使用することが可能である。
【００３９】
一般的には、複数のレンズ保持枠１１０をレンズ鏡筒１００に挿入して使用する場合、それぞれのレンズ保持枠１１０に対応するレンズ挿入口１２２を別個に生成する必要がある。このため、通常のレンズ鏡筒では、カム筒１２０に形成できるカム溝１２１の本数や、カム筒１２０の光軸方向の長さが制限される場合がある。
【００４０】
一方、本実施の形態にかかるレンズ鏡筒１００では、それぞれのレンズ保持枠１１０のカムピン１１１の形状を異ならせることによって、１つのレンズ挿入口１２２を複数のレンズ保持枠１１０で共通して使用することを可能にしている。
【００４１】
図８は、複数のレンズ保持枠のカムピンの形状の違いを示す説明図である。図８には、第１のレンズ保持枠１１０ａと、第２のレンズ保持枠１１０ｂとが示されている。レンズ保持枠１１０ａのカムピン１１１ａと、レンズ保持枠１１０ｂのカムピン１１１ｂとを比較すると、カムピン１１１ａは、高さＨａと幅Ｗａとが等しい円形であるのに対して、カムピン１１１ｂは、高さＨｂよりも幅Ｗｂの方が長い略楕円形となっている。ここで、カムピン１１１の高さＨは光軸方向の長さであり、幅Ｗは光軸直交方向（円周方向）の長さである。カムピン１１１ａの高さＨａとカムピン１１１ｂの高さＨｂとは等しくなっている（Ｈａ＝Ｈｂ）。
【００４２】
一方、カムピン１１１ａの幅Ｗａとカムピン１１１ｂの幅Ｗｂとを比較すると、カムピン１１１ｂの幅Ｗｂの方が長くなっている（Ｗｂ＞Ｗａ）。図７に示すように、カム筒１２０のレンズ挿入口１２２の幅は、幅Ｗｂに合わせて形成される。また、円周方向移動部１２４ａ，１２４ｂの高さは、高さＨａおよびＨｂに合わせて形成される。また、光軸方向移動部１２３と円周方向移動部１２４ａとの交点を交点１２５ａ、光軸方向移動部１２３と円周方向移動部１２４ｂとの交点を交点１２５ｂとすると、光軸方向移動部１２３の幅は、レンズ挿入口１２２から交点１２５ａまではカムピン１１１ｂの幅Ｈｂに合わせて形成されている。また、交点１２５ａから交点１２５ｂまでの幅は、カムピン１１１ａの幅Ｗａに合わせて形成されている。
【００４３】
このため、レンズ保持枠１１０ｂをレンズ挿入口１２２から挿入すると、カムピン１１１ｂは交点１２５ａの位置までしか光軸方向に移動することができず、円周方向移動部１２４ａに導入される。その結果、レンズ保持枠１１０ｂは円周方向移動部１２４ａに沿って移動する。一方、レンズ保持枠１１０ａをレンズ挿入口１２２から挿入すると、カムピン１１１ａは交点１２５ａを通過し、さらに深い位置まで光軸方向に移動する。そして、交点１２５ｂでカムピン１１１ａが円周方向移動部１２４ｂに導入され、レンズ保持枠１１０ａは円周方向移動部１２４ｂに沿って移動する。
【００４４】
このように、実施の形態にかかるレンズ鏡筒１００では、レンズ保持枠１１０のカムピン１１１の形状を異ならせることによって、それぞれのカムピン１１１を所望のカム溝１２１に係合させることができる。これにより、従来のレンズ鏡筒と比較して、同じ長さのカム筒１２０に形成できるカム溝１２１の本数を増加させることができ、カム筒１２０の長さに対する影響を軽減することができる。
【００４５】
（直進案内部材１３０の構成）
つぎに、直進案内部材１３０の構成について説明する。図９は、直進案内部材を光軸と平行な面で切断した断面図である。直進案内部材１３０は、光軸方向に案内孔１３１が形成される。案内孔１３１は、レンズ保持枠１１０のカムピン１１１と同じ数（図示の例では３本）形成され、レンズ鏡筒１００の組み立て状態においてはレンズ保持枠１１０のカムピン１１１が貫通される。
【００４６】
また、直進案内部材１３０の内周面には、レンズ保持枠１１０の２カ所の保持枠側凸部１１５および片寄せ部材１１２と接する案内部材側凸部１３２が形成される。案内部材側凸部１３２は、光軸方向に延びる領域であり、直進案内部材１３０の内周面に対して所定の高さを有する。案内部材側凸部１３２の表面は、直進案内部材１３０の経方向に対して垂直な（直進案内部材１３０の円周方向に対して曲率がない）平面となっている。
【００４７】
案内部材側凸部１３２は、レンズ保持枠１１０の保持枠側凸部１１５および片寄せ部材１１２に対応する数（図示の例では３本）形成される。案内部材側凸部１３２の幅（円周方向の長さ）は、保持枠側凸部１１５の幅および片寄せ部材１１２の幅に合わせて形成される。案内部材側凸部１３２、保持枠側凸部１１５および片寄せ部材１１２の表面は鏡面加工されているため、保持枠側凸部１１５または片寄せ部材１１２と接した際の摩擦力が軽減され、レンズ保持枠１１０が光軸方向に移動しやすくなっている。
【００４８】
（レンズ鏡筒１００の動作）
つづいて、レンズ鏡筒１００の組み立て状態における動作について説明する。図１０は、レンズ鏡筒の組み立て状態を示す説明図である。また、図１１は、レンズ鏡筒の片寄せ部材周辺を光軸方向と平行な面で切断した断面図であり、図１２は、レンズ鏡筒のカムピン周辺を光軸方向に平行な面で切断した断面図である。
【００４９】
図１０（ａ）は、レンズ鏡筒１００の組み立て状態を円周方向から見た図である。また、図１０（ｂ）および（ｃ）は、レンズ鏡筒１００を光軸と直交する面（（ａ）のＸ−Ｘ’面）で切断した断面図であり、（ｂ）はカムピン１１１の中央を通る位置にＸ−Ｘ’面を取り、（ｃ）は片寄せ部材１１２の上端を通る位置にＸ−Ｘ’面を取っている。さらに、図１０（ｄ）は、図１０（ｂ）のカムピン１１１部分を拡大した拡大図であり、図１０（ｅ）は、図１０（ｃ）の片寄せ部材１１２部分を拡大した拡大図である。
【００５０】
図１０（ｂ）および（ｃ）に示すように、レンズ鏡筒１００の組み立て状態においては、カム筒１２０の内部にレンズ保持枠１１０が配置され、カム筒１２０とレンズ保持枠１１０との間に直進案内部材１３０が配置されている。また、レンズ保持枠１１０は、片寄せ部材１１２および２カ所の保持枠側凸部１１５の３点が、直進案内部材１３０の案内部材側凸部１３２に接している。このとき、片寄せ部材１１２に嵌合された弾性部材１１３は、図１１に示すように、レンズ保持枠１１０の片寄せ部材掛合部１１４と片寄せ部材１１２との間で圧縮状態で挟持される。
【００５１】
このため、片寄せ部材１１２は、弾性部材１１３から経方向外側に向かう弾性力を受け、直進案内部材１３０の案内部材側凸部１３２に押しつけられる。また、レンズ保持枠１１０の片寄せ部材掛合部１１４は、弾性部材１１３から経方向内側に向かう弾性力を受け、この応力によって、２カ所の保持枠側凸部１１５は案内部材側凸部１３２に当接される。このように、レンズ保持枠１１０は、直進案内部材１３０の内部において、片寄せ部材１１２および２カ所の保持枠側凸部１１５の３点で支持され、円周方向の姿勢を安定して保持することができる。
【００５２】
また、図１０（ｂ）および（ｃ）に示すように、レンズ保持枠１１０のカムピン１１１は、直進案内部材１３０の案内孔１３１を貫通して、カム筒１２０の内周面に形成されたカム溝１２１に係合する。ここで、図１０（ｄ）および図１２に示すように、カムピン１１１の先端とカム溝１２１の底面とは、所定のクリアランスを有するように形成されている。
【００５３】
このクリアランスによって、カム溝１２１の底面に形成されたパーティングライン（段差）に接することなくカムピン１１１を移動させることができる。上述のように、レンズ保持枠１１０は、直進案内部材１３０の内部において、円周方向の姿勢を安定して保持している。このため、カムピン１１１の円周方向の位置についても安定して保持することができ、カムピン１１１の先端とカム溝１２１の底面とのクリアランスを安定して保持することができる。
【００５４】
以上説明したように、実施の形態にかかるレンズ鏡筒１００によれば、像揺れ防止機構の片寄せ部１１６で発生された付勢力によって、光軸直交方向におけるレンズ保持枠１１０の位置が規制され、レンズ保持枠１１０の位置ずれに起因する撮影画像の像揺れを防止することができる。また、レンズ鏡筒１００によれば、カムピン１１１とは異なる位置に像揺れ防止機構を形成しているため、レンズ保持枠１１０はカムピン１１１とは異なる位置に規制される。このため、レンズ保持枠１１０をカムピン１１１の位置で規制する場合と異なり、カム溝１２１の底面にある段差に起因するレンズ保持枠１１０の位置ずれを防止することができる。
【００５５】
また、レンズ鏡筒１００によれば、圧縮状態で保持された弾性部材１１３によって、片寄せ部材１１２およびレンズ保持枠１１０の片寄せ部材掛合部１１４に対して光軸直交方向に弾性力が働く。この弾性力によって、レンズ保持枠１１０の位置を直進案内部材１３０との間で光軸直交方向に保持することができる。
【００５６】
また、レンズ鏡筒１００によれば、１つの片寄せ部材１１２および２つの保持枠側凸部１１５の少なくとも３点でレンズ保持枠１１０の位置を規制する。この３点は光軸を中心とする円周上に等間隔で配置されており、レンズ保持枠１１０の位置を安定して保持することができる。また、レンズ鏡筒１００によれば、レンズ保持枠１１０と直進案内部材１３０との当接部に凸部（保持枠側凸部１１５および案内部材側凸部１３２）を設けているため、レンズ保持枠１１０の位置をより安定して保持することができる。
【産業上の利用可能性】
【００５７】
以上説明したように、この発明にかかるレンズ鏡筒は、レンズ保持枠、カム筒および直進案内部材からなり、レンズ保持枠に保持されたレンズを光軸方向に移動させて所定の結像状態を得るレンズ鏡筒に有効であり、特に、撮影中においてもレンズ位置の移動が継続する動画撮影用カメラのレンズ鏡筒に適している。
【符号の説明】
【００５８】
１００  レンズ鏡筒
１１０  レンズ保持枠
１１１  カムピン
１１２  片寄せ部材
１１３  弾性部材
１１４  片寄せ部材掛合部
１１５  保持枠側凸部
１１６  片寄せ部
１２０  カム筒
１２１  カム溝
１３０  直進案内部材
１３１  案内孔
１３２  案内部材側凸部
【図１】
2011128313.tif 000003
【図２】
2011128313.tif 000004
【図３】
2011128313.tif 000005
【図４】
2011128313.tif 000006
【図５】
2011128313.tif 000007
【図６】
2011128313.tif 000008
【図７】
2011128313.tif 000009
【図８】
2011128313.tif 000010
【図９】
2011128313.tif 000011
【図１０】
2011128313.tif 000012
【図１１】
2011128313.tif 000013
【図１２】
2011128313.tif 000014